(57)【特許請求の範囲】
【請求項１】
状態情報を無線データとして送受信する無線機能を内蔵した複数の機器と、前記複数の機器のそれぞれと無線データを送受信する中継機器と、前記中継機器に接続され、前記中継機器からの信号によりガスの供給を制御するガスマイコンメーターとで構成され、前記ガスマイコンメーターに公衆回線網用機器を接続する為の接続部と中継機器を接続する為の中継器接続箇所とを備え、前記接続部に前記中継機器を接続した場合に、前記ガスマイコンメーターがガスを遮断し、前記中継機器接続箇所に中継機器以外を接続した場合に、前記ガスマイコンメーターがガスを遮断し、前記ガスマイコンメーターに対する接続間違いが修正されるまでガスの遮断を解除できないようにしたことを特徴としたガス保安システム。
【請求項２】
前記ガスマイコンメーターに表示部を備え、前記接続部に前記中継機器を接続した場合に、前記ガスマイコンメーターの表示部に接続間違いであることを表示することを特徴とした請求項１記載のガス保安システム。
【請求項３】
前記ガスマイコンメーターの中継機器接続箇所に中継機器以外を接続した場合に、前記ガスマイコンメーターの表示部に接続間違いであることを表示することを特徴とした請求項２記載のガス保安システム。
【発明の詳細な説明】
【技術分野】
【０００１】
本発明は、ガス流量を計測し、異常流量が計測された場合にはガス通路を遮断し、ガス使用上の安全性を確保するガス保安システムに関するものである。
【背景技術】
【０００２】
近年、ガスの使用量を計測するガスメータに、多量の流量が計測された場合や、通常ではありえないほどの長時間使用があった場合には、異常と判定してガス通路を遮断し、安全性を確保する保安装置が内蔵されたものが普及している。
【０００３】
また、このガスメーターが接続された家屋内に設置されたガス漏れ警報器、火災警報機、ＣＯ警報器等の各種機器との間で情報を無線データとして送受信する装置が実用化されている。この装置は、親機と子機から構成されており、それぞれ前者はガスメータに、後者は各種機器に接続され、データの送受信は親機と子機間で直接行うようになっている（例えば、特許文献１参照）。
【特許文献１】特開平８−６５７７０号公報
【発明の開示】
【発明が解決しようとする課題】
【０００４】
しかしながら、ガスメーターにおいては公衆回線網との間でデータ等を通信する機器を接続する箇所が設置され、間違って無線の親機をこの箇所に接続してしまい通信できないという課題があった。
【０００５】
また、逆に、公衆回線網との間でデータ等を通信する機器を無線の親機の接続箇所に間違って接続してしまうという課題もあった。
【課題を解決するための手段】
【０００６】
上記課題を解決するため本発明では、ガスマイコンメーターの公衆回線網等の機器接続部に接続機器の判別機能をもたせ、無線の親機が接続された場合には、ガスマイコンメーターのガス遮断機能を働かせ、ガスの使用を出来なくしたものである。また、無線の親機の接続箇所にも同じ機能をもたせたものである。
【発明の効果】
【０００７】
本発明は、ガスマイコンメーターの機器接続部に接続機器の判別機能をもたせ、無線の親機が間違って接続された場合にはガスを遮断し、機器の接続が正しくできるようにしたものである。
【発明を実施するための最良の形態】
【０００８】
第１の発明のガス保安システムは、状態情報を無線データとして送受信する無線機能を内蔵した複数の機器と、前記複数の機器のそれぞれと無線データを送受信する中継機器と、前記中継機器に接続され、前記中継機器からの信号によりガスの供給を制御するガスマイコンメーターとで構成され、前記ガスマイコンメーターに公衆回線網用機器を接続する為の接続部と中継機器を接続する為の中継器接続箇所とを備え、前記接続部に前記中継機器を接続した場合に、前記ガスマイコンメーターがガスを遮断し、前記中継機器接続箇所
に中継機器以外を接続した場合に、前記ガスマイコンメーターがガスを遮断し、前記ガスマイコンメーターに対する接続間違いが修正されるまでガスの遮断を解除できないようにしたものである。
【０００９】
これにより、中継機器を間違って公衆回線網用機器の接続部に接続した場合でも、ガスの遮断により接続間違いを確認することができる。また、中継機器以外の機器を中継機器接続箇所に間違って接続した場合でも、ガスの遮断により接続間違いを確認することができる。
【００１２】
第２の発明のガス保安システムは、第１の発明のガス保安システムにおいて、前記ガスマイコンメーターに表示部を備え、前記接続部に前記中継機器を接続した場合に、前記ガスマイコンメーターの表示部に接続間違いであることを表示するようにしたものである。
【００１３】
これにより、ガスマイコンメーターの表示部を見ることにより、中継機器の接続に間違いがないか確認することができる。
【００１４】
第３の発明のガス保安システムは、第２の発明のガス保安システムにおいて、前記ガスマイコンメーターの中継機器接続箇所に中継機器以外を接続した場合に、前記ガスマイコンメーターの表示部に接続間違いであることを表示するようにしたものである。
【００１５】
これにより、ガスマイコンメーターの表示部を見ることにより、中継機器接続箇所に間違った機器が接続されていないか確認することができる。
【００１６】
以下、本発明の実施の形態について図面を用いて説明する。なお、この実施の形態によって本発明が限定されるものではない。
【００１７】
（実施の形態１）
図１は本発明の実施の形態１によるガス保安システムを示す構成図である。
【００１８】
１は、機器で、ガス漏れ警報器、火災警報器、ＣＯ警報器、ガス使用機器等を表している。２は中継機器で、複数の機器１のそれぞれと情報を無線データとして送受信する。中継機器２は、ガスマイコンメーター３に接続されており、機器１から受信した無線データをガスマイコンメーター３へ送る。ガスマイコンメーター３は、ガス流量の計測部、ガス通路の遮断装置で主に構成されており、受け取った機器のデータを利用して流量計測値を補正したり、ガス通路を遮断したりする。逆の経路で、ガスマイコンメーター３からの指示データを機器１へ送ることもできる。また、ガスマイコンメーター３に装備された接続部４に公衆回線網とデータの送受をする機器を接続することにより、遠隔地のガスセンター等より各機器やガスマイコンメーターの状態の確認や操作を実施することができる。
【００１９】
本発明の実施の形態１によると、図２に示すように、接続部４に機器を接続すると機器の接続判定を実施する。公衆回線網用機器が接続された場合には通常の通信を開始し、中継機器２が接続された場合には接続間違いと判断し、ガスマイコンメーター３のガス通路を遮断する装置を作動させ、ガスが流れないようにする。
【００２０】
これにより、中継機器を間違って公衆回線網用機器の接続部に接続した場合でも、ガスの遮断により接続間違いであることを確認することができる。
【００２１】
なお、接続部４は公衆回線網用機器の接続部としてだけでなく、警報器等の他の用途の機器用の接続部として利用できるようにしてもよい。また、接続間違いを修正するまではガスの遮断を解除できないという動作を付加してもよい。
【００２２】
（実施の形態２）
本発明の実施の形態２によると、図３に示すように、ガスマイコンメーター３の中継機器接続箇所に機器を接続すると機器の接続判定を実施する。中継機器２が接続された場合には通常の通信を開始し、公衆回線網用機器が接続された場合には接続間違いと判断し、ガスマイコンメーター３のガス通路を遮断する装置を作動させ、ガスが流れないようにする。
【００２３】
これにより、中継機器以外の機器を中継機器接続箇所に間違って接続した場合でも、ガスの遮断により接続間違いであることを確認することができる。
【００２４】
（実施の形態３）
本発明の実施の形態３によると、図４に示すように、接続部４に機器を接続すると機器の接続判定を実施する。公衆回線網用機器が接続された場合には通常の通信を開始し、中継機器２が接続された場合には接続間違いと判断し、ガスマイコンメーター３の表示部に接続間違いであることを表示されるようにする。
【００２５】
これにより、ガスマイコンメーターの表示部を見ることにより、中継機器の接続に間違いがないか確認することができる。
【００２６】
もちろん、接続間違いという表示で接続状態を認識させる方式だけでなく、接続が正しいという表示で接続状態を認識させてもよい。
【００２７】
（実施の形態４）
本発明の実施の形態４によると、図５に示すように、ガスマイコンメーター３の中継機器接続箇所に機器を接続すると機器の接続判定を実施する。中継機器２が接続された場合には通常の通信を開始し、公衆回線網用機器が接続された場合には接続間違いと判断し、ガスマイコンメーター３の表示部に接続間違いであることを表示されるようにする。
【００２８】
これにより、ガスマイコンメーターの表示部を見ることにより、中継機器接続箇所に間違った機器が接続されていないか確認することができる。
【産業上の利用可能性】
【００２９】
以上のように、本発明にかかるガス保安システムは、中継無線を間違った接続部に接続した場合には、ガス通路を遮断し、ガスが使用できなくなることで機器の接続が間違いであることを確認することができたり、表示部に接続間違いであることが表示されたりする。
【図面の簡単な説明】
【００３０】
【図１】本発明の実施の形態１におけるガス保安システムを示す構成図
【図２】本発明の実施の形態１におけるガス保安システムのフローチャート
【図３】本発明の実施の形態２におけるガス保安システムのフローチャート
【図４】本発明の実施の形態３におけるガス保安システムのフローチャート
【図５】本発明の実施の形態４におけるガス保安システムのフローチャート
【符号の説明】
【００３１】
１  機器
２  中継機器
３  ガスマイコンメーター
４  接続部
【図１】
0004935608.tif 000002
【図２】
0004935608.tif 000003
【図３】
0004935608.tif 000004
【図４】
0004935608.tif 000005
【図５】
0004935608.tif 000006